(57)【要約】      （修正有）【課題】幼児でも筆記可能な操作容易な指ペンを提供する。【解決手段】指を挿入するための指スリーブ１１、指スリーブに配置された固定装置１２、および固定装置により指スリーブ内に配置された交換可能なペン本体１３からなり、指ペンは人差し指に直接装着され、親指と中指は筆記の操作を安定させるために使用される。筆記動作中に手首と腕をリラックスさせることができ、無理なく筆記動作が可能となる。指先でペン操作して筆記するため、筆記が速くスムーズにできる。【選択図】図２
0003230814.tif 000002
【実用新案登録請求の範囲】
【請求項１】
指スリーブ、固定装置、ペン本体からなり、
上記指スリーブは、指を挿入するための収容スペースを備え、該指スリーブの前端にペン本体先端を突出する穿孔を設け、
上記固定装置は、上記収容スペース内にあって、指スリーブの内壁に取り付けられ、
上記ペン本体は、固定装置を介して指スリーブに交換可能に固定され、そのペン本体の先端は前記指スリーブの前端の穿孔から突出して筆記可能とされる、
指ペン構造。
【請求項２】
上記指スリーブの長さが、指の第一関節および第２関節の全長よりも短いことを特徴とする、請求項１に記載の指ペン構造。
【請求項３】
上記指スリーブの前端部に通気孔を備えた、請求項１に記載の指ペン構造。
【請求項４】
上記指スリーブから突出するペン本体の先端が上向きの角度を有する、請求項１に記載の指ペン構造。
【請求項５】
上記ペン本体の先端の上向きの夾角が１０度〜３０度である、請求項４に記載の指ペン構造。
【請求項６】
指スリーブ、固定装置、ペン本体、調整装置からなり、
上記指スリーブは、シート本体の長いストリップを指に巻き付けることによって、指を挿入するための収容スペースが形成され、
巻き付け後の指スリーブの前端にある穿孔があり、
上記固定装置は収容スペース内にあって、指スリーブの内壁に取り付けられ、
ペン本体は交換可能に固定装置を介して指スリーブに固定され、ペン本体の先端は指スリーブの前端の穿孔から突出し、
上記調整装置は指スリーブの外面に配置されて、指に巻き付けるシートの巻き付けサイズを調整するために使用されることを特徴とする、指ペン構造。
【請求項７】
上記指スリーブの長さが、指の第１間接および第２関節全長よりも短いことを特徴とする、請求項６に記載の指ペン構造。
【請求項８】
上記指スリーブから突出するペン本体の先端部が上向きの角度を有する、請求項６に記載の指ペン構造。
【請求項９】
上記ペン本体の先端部が上向きになす夾角が１０度〜３０度である、請求項８に記載の指ペン構造。
【考案の詳細な説明】
【技術分野】
【０００１】
本考案は、ペンに関するものであり、特に 一本指のペンの筆記のために指に装着される指ペン構造に関する。
【背景技術】
【０００２】
一般的に筆記具は、それが鉛筆であろうとボールペンであろうと、書くために親指、人差し指、および中指を使用して保持する必要があり、ペンの後面を保持するために３本の指を使用することはより多くの熟練を必要とする。 筋肉と神経が引っ張られて緊張するため、無意識のうちにペン胴部をクランプしてペン先の負荷を重くし、フォントを太くし、手首や前腕の筋肉を硬直して痛める。
【０００３】
成人にとってこれは一般に慣れた事態であるかもしれないが、書き始めたばかりの幼児にとって、ペン胴部は幼児の指よりも太くて長い。 ペンをしっかりと握るのは非常に難しく、ペンをしっかりと握るために、子供たちがペンを無理な姿勢で書いているのを見ることがよくあります。書き続ける時間が長くなると、全身の筋肉がきつくなり、書くことが困難となります。 太くて重いので、書くのが苦手となり、学習効果が大幅に低下してしまう。
【０００４】
また、漢字を書く動作は、水平、垂直、短縮、ピン留め、折り畳み、フック、およびドットを打つ操作を含むので、書くことは比較的複雑で困難である。文字単語が複雑であるほど、文字単語の筆記動作は困難となり、苦痛を感じるほどであるため、これらの一般的な筆記具の問題点について改善が必要と感じます。そのため、筆記用具を改善して、より人間工學に沿った書き動作を可能とする必要があります。
【０００５】
したがって、これらの関連分野に拘わる考案者として、長期の研究開発経験に基づいて、上記の問題についてニーズに対する解決策を達成するに至った。
【先行技術文献】
【特許文献】
【０００６】
【特許文献１】実開平１−１７１６８５号公報
【特許文献２】実開昭６３−５３７９６号公報
【特許文献３】実開昭６１−１５１７９号公報
【考案の概要】
【考案が解決しようとする課題】
【０００７】
本考案の主な目的は、ペンを保持することに重さの負担を感じず、硬くて手に痛みを感じることなく容易に書くことができ、連続的な筆記可能とする筆記具を提供することである。
【０００８】
この考案の第２の目的は、ペンの柔軟な書き操作性を向上させ、書かれたフォントを正しく維持可能とすることである。
【課題を解決するための手段】
【０００９】
上記の目的を達成するために、本考案は、サイズに応じた構造とする。
【００１０】
第１実施例の 指ペンは、指スリーブ、固定装置、およびペン本体を含む。
【００１１】
上記指スリーブは、指を挿入して装着するための収容スペースと、指スリーブの前端にある穿孔とを有する。
【００１２】
上記固定装置は、収容空間に配置され、指スリーブの内壁に取り付けられる。
【００１３】
上記ペン本体は、固定装置を介して指スリーブに固定される交換可能なペン本体であり、筆記用のペン本体の先端は、指スリーブの前端の穿孔から貫通して突出されている。
【００１４】
また、第２実施例は、指スリーブ、固定装置、ペン本体、および調整装置を含む。
【００１５】
上記指スリーブは、シート本体の長いストリップを指に巻き付けることによって装着され、これは、指を挿入するための収容スペースを形成し、巻き付けた後の指スリーブの前端にある穿孔を有する。
【００１６】
上記固定装置は、収容空間に配置され、指スリーブの内壁に取り付けられる。
【００１７】
上記ペン本体は、固定装置を介して指スリーブに固定される交換可能なペン本体であり、筆記に使用されるペン本体の先端は、指スリーブの前端の穿孔から突出する。
【００１８】
上記指スリーブの外面に調整装置を配置し、巻き付けるシートの大きさを調整するために使用する。
【００１９】
本考案の指ペンの特徴は、書くとき、指スリーブを人差し指に装着するだけであり、親指および中指を使用して指スリーブを軽く保持し、力を要せずに書き始めることができる。
【図面の簡単な説明】
【００２０】
【図１】図１は、本考案第一実施例の指ペンの概略図。
【図２】図２は、本考案第一実施例の指ペンの断面図。
【図３】図３は、本考案第一実施例の指ペン装着の概略図。
【図４】図４は、本考案第二実施例の指ペンの概略図。
【図５】図５は、本考案第二実施例における指ペンの断面図。
【図６】図６は、本考案第二実施例 本考案の指の展開図
【図７】図７は、本考案第二実施例の作成実装の概略図
【考案を実施するための形態】
【００２１】
本考案の目的、有効性、特徴、および構造をより詳細に理解するために、好ましい実施形態を図面と併せて以下に説明する。
【実施例１】
【００２２】
図１、図２および図３を併せて参照されたい。
図１は、第１実施例における本考案の指ペンの概略図であり、図２は、第１実施例における本考案の指ペンの断面図であり、図３は、第１実施例の指ペンを装着して使用する状態を示す。
【００２３】
第１実施例の指ペン１は、指スリーブ１１、固定装置１２、およびペン本体１３を含む。
【００２４】
上記指スリーブ１１は、指２を挿入するための収容スペース１１１と、指スリーブ１１の前端にある穿孔１１２とを有し、指スリーブ１１の長さは、指の第一関節および第二関節の長さを超えてはならない。 それらの範囲が最適であり、指スリーブ１１の前端には、換気用の換気穴１１３を追加して設けることができる。
【００２５】
上記固定装置１２は、収容空間１１１内に配置され、指スリーブ１１の内壁に取り付けられている。
【００２６】
上記ペン本体１３は、固定装置１２を介して指スリーブ１１に固定される交換可能なペン本体１３であり、筆記用のペン本体１３の端部は、指スリーブ１１の前端の穿孔１１２から突出する。 また、指スリーブ１１から突出するペン本体１３の先端は上向きの角度θを有し、上向きの夾角θの角度は上向き１０度〜３０度の間である。
【００２７】
上記に参照した図面の第１実施例の実施形態は、以下のように詳述される
【００２８】
第１実施例によって作成された指スリーブ１１は、様々な固定サイズで設置されており、ユーザは、使用するユーザの指２に最も近いサイズの指スリーブ１１を選択することができ、適切なサイズの指スリーブ１１を選択した後、 指2に直接装着して書き始めることができ、上向きのペン本体13により、よりスムーズに書くことができます。また、通気孔113の構造により、指スリーブ11内の熱気を排出することができ、その過程でユーザーが快適に筆記し続けることができます。 指２は指スリーブ内で蒸れを感じることなく、ペン本体１３のインクがなくなったとき、ユーザーは交換詰め替え用のペン本体１３を購入して自宅で交換するだけで、本考案の指スリーブ１１を繰り返し使用できる。
【００２９】
同時に図４から７を参照されたい。図４は、第２実施例における本考案の指ペンの概略図であり、図５は、第２実施例における本考案の指ペンの断面図であり、図６は、第２実施例の指ペンの展開図、図7は、本考案の指ペンを指に装着して筆記する状態を示す概略図である。
【００３０】
第２実施例の指ペン１は、指スリーブ１１、固定装置１２、ペン本体１３、および調整装置１４を含む。
【００３１】
上記指スリーブ１１は、指２を挿入するための収容スペース１１１と、指スリーブ１１の前端にある穿孔１１２と、巻き付けて指に圧着して指スリーブ１１を装着するシート本体の長いストリップとによって形成される。 装着する長さとして第一関節と第二関節の全長を超えないようにするのが最善である。
【００３２】
上記固定装置１２は、収容空間１１１内に配置され、指スリーブ１１の内壁に取り付けられている。
【００３３】
上記ペン本体１３は、固定装置１２を介して指スリーブ１１に固定される交換可能なペン本体１３であり、筆記用のペン本体１３の端部は、指スリーブ１１の前端の穿孔１１２から突出する。 また、指スリーブ１１から突出するペン本体１３の先端は上向きの角度θを有し、夾角θの角度は１０度〜３０度の間である。
【００３４】
上記調整装置１４は、指スリーブ１１の外面に配置され、調整装置１４は、指に巻き付けて圧着するシートのサイズを調整するために使用される。
【００３５】
本考案の第２実施例の詳細な実施および参照の関連する図面は、以下の通りである。
【００３６】
本考案の第２実施例によって作成された指スリーブ１１は、ユーザが、指２の太さに応じてシートを指２の幅方向に巻き付け、次に、シートを巻き付けて後、調整装置１４を使用してシートを巻き付け固定する。 固定すると、指スリーブ11を指2に装着して筆記を開始でき、上向きのペン本体13により、ユーザーはよりスムーズに筆記することができる。
さらに、指スリーブ11の前端にある穿孔112の開口部が明らかに大きいため、穿孔112 により、指スリーブ１１から熱気を放出する効果があるため、筆記中に指が蒸れて不快に感じることはなく、ペン本体１３のインクがなくなった場合、交換用のペン本体１３を購入するだけでよい。 家に帰って自分で交換することにより本考案の指スリーブ11を何度も使用することができる。
【００３７】
上記に基づき、本考案の指ペンの特長は、書くときに、指スリーブを人差し指に装着し、親指および中指を使用して指スリーブを軽く保持し、力を加えずに筆記を開始することが可能であり、 ペンホルダーを3本の指でクランプする永年の形態を変えた。
【００３８】
したがって、この考案は、同様の筆記具に対して優れた進歩および実用性を有する。同時に、本考案の構造に関する国内外の技術文書を検索した後、同じまたは類似の構造が存在することは実際には見出されない。 したがって、本件は「創造性」「産業利用への適用性」「進歩性」の特許要件を満たしているはずであり、これらに関する法的要件を満たす。
【００３９】
しかしながら、上記具体例は、この考案の好ましい一実施形態にすぎず、本考案の仕様および実用新案登録請求の範囲の適用によってなされた他の同等の構造的変更は、本考案の権利範囲に含まれるべきである。
【符号の説明】
【００４０】
１      本考案の指ペン
１１    指スリーブ
１１１  収容空間  
１１２  穿孔    
１１３  通気孔
１２    固定装置
１３    ペン本体
１４    調整装置
２      指
θ      夾角    
【図１】
0003230814.tif 000003
【図２】
0003230814.tif 000004
【図３】
0003230814.tif 000005
【図４】
0003230814.tif 000006
【図５】
0003230814.tif 000007
【図６】
0003230814.tif 000008
【図７】
0003230814.tif 000009